(57)【要約】【課題】複数の画像に対して画像処理を行う場合にユーザーにとって操作を容易にすることができるようにする。【解決手段】複数の画像データとともに、前記複数の画像データのそれぞれに対応した画像処理を行うための画像補正情報が前記複数の画像データのそれぞれに関連付けてＨＤＤ１１０に記録されており、ＨＤＤ１１０に記録された複数の画像データのサムネイル画像から構成される一覧リストを表示するとともに、各サムネイル画像に付随して適用可能な画像処理を示すアイコンを画像補正情報として表示する。【選択図】図１
2010258968.tif 000002
【特許請求の範囲】
【請求項１】
複数の画像データとともに、前記複数の画像データのそれぞれに対応した画像処理を行うための画像補正情報が前記複数の画像データのそれぞれに関連付けて記録された記録媒体から前記画像補正情報を再生する再生手段と、
前記記録媒体に記録された複数の画像データの一覧リストを表示するとともに、前記一覧リストに付随して前記再生手段によって再生された画像補正情報を表示部に表示する表示手段と、
ユーザーの操作に応じて前記一覧リストの中から画像データを選択する選択手段と、
前記選択手段によって選択された画像データに対して、前記画像補正情報に基づいた画像処理を行う画像処理手段とを有することを特徴とする画像処理装置。
【請求項２】
前記表示手段は、前記画像データから生成された代表画像によって構成される一覧リストを前記表示部に表示することを特徴とする請求項１に記載の画像処理装置。
【請求項３】
前記代表画像は、前記画像処理手段による画像処理の効果が最も大きくなる画面から選択された画像であることを特徴とする請求項２に記載の画像処理装置。
【請求項４】
前記表示手段は、関連付けされた画像補正情報が存在しない画像データから生成された代表画像を表示する場合、前記代表画像の表示サイズを変更して表示することを特徴とする請求項２又は３に記載の画像処理装置。
【請求項５】
前記表示手段は、関連付けされた画像補正情報が存在しない画像データから生成された代表画像を表示する場合、前記代表画像の表示輝度を変更して表示することを特徴とする請求項２〜４の何れか１項に記載の画像処理装置。
【請求項６】
前記表示手段は、関連付けされた画像補正情報が存在しない画像データから生成された代表画像を表示する場合、前記代表画像の色を変更して表示することを特徴とする請求項２〜４の何れか１項に記載の画像処理装置。
【請求項７】
前記表示手段は、関連付けされた画像補正情報が存在しない画像データから生成された代表画像を表示する場合、前記関連付けされた画像補正情報が存在しない旨ことを示す表示を付随させることを特徴とする請求項２〜６の何れか１項に記載の画像処理装置。
【請求項８】
前記表示手段は、前記画像補正情報をアイコンとして表示することを特徴とする請求項１〜７の何れか１項に記載の画像処理装置。
【請求項９】
前記表示手段は、前記選択手段によって画像データが選択されると、前記画像補正情報に付随した情報を前記表示部に表示することを特徴とする請求項１〜８の何れか１項に記載の画像処理装置。
【請求項１０】
前記表示手段は、前記一覧リストにおいて前記画像処理手段による画像処理の効果が大きい順に表示することを特徴とする請求項１〜９の何れか１項に記載の画像処理装置。
【請求項１１】
前記表示手段は、前記一覧リストにおいて画像処理別に表示することを特徴とする請求項１〜１０の何れか１項に記載の画像処理装置。
【請求項１２】
前記選択手段は、前記一覧リストの中から複数の画像データを選択し、
前記画像処理手段は、前記選択手段によって選択された複数の画像データに対して、前記複数の画像データのそれぞれの画像補正情報に基づいた画像処理を行うことを特徴とする請求項１〜８の何れか１項に記載の画像処理装置。
【請求項１３】
複数の画像データとともに、前記複数の画像データのそれぞれに対応した画像処理を行うための画像補正情報が前記複数の画像データのそれぞれに関連付けて記録された記録媒体から前記画像補正情報を再生する再生工程と、
前記記録媒体に記録された複数の画像データの一覧リストを表示するとともに、前記一覧リストに付随して前記再生工程において再生された画像補正情報を表示部に表示する表示工程と、
ユーザーの操作に応じて前記一覧リストの中から画像データを選択する選択工程と、
前記選択工程において選択された画像データに対して、前記画像補正情報に基づいた画像処理を行う画像処理工程とを有することを特徴とする画像処理方法。
【請求項１４】
複数の画像データとともに、前記複数の画像データのそれぞれに対応した画像処理を行うための画像補正情報が前記複数の画像データのそれぞれに関連付けて記録された記録媒体から前記画像補正情報を再生する再生工程と、
前記記録媒体に記録された複数の画像データの一覧リストを表示するとともに、前記一覧リストに付随して前記再生工程において再生された画像補正情報を表示部に表示する表示工程と、
ユーザーの操作に応じて前記一覧リストの中から画像データを選択する選択工程と、
前記選択工程において選択された画像データに対して、前記画像補正情報に基づいた画像処理を行う画像処理工程とをコンピュータに実行させることを特徴とするプログラム。
【請求項１５】
請求項１４に記載のプログラムを記憶したことを特徴とするコンピュータ読み取り可能な記憶媒体。
【発明の詳細な説明】
【技術分野】
【０００１】
本発明は画像処理装置、画像処理方法、プログラム及び記憶媒体に関し、特に、複数の画像に対して画像処理を行うために用いて好適な技術に関する。
【背景技術】
【０００２】
デジタルビデオカメラの普及に伴い、自分で撮影した動画像を簡単に画像処理により補正して保存する技術が求められるようになっている。例えば、特許文献１には、画像の補正に関するものとして、色かぶり画像の調整など、初心者にとって困難な調整を容易に行うことができる画像処理装置が提案されている。
【先行技術文献】
【特許文献】
【０００３】
【特許文献１】特開２００１−１６４６９号公報
【発明の概要】
【発明が解決しようとする課題】
【０００４】
従来の画像の調整方法は、個々の画像を解析し、その結果を一つ一つユーザーが確認しながら調整を進めていくものである。また、デジタルカメラの記録メモリが増大することに伴い、記録される画像データの数も増大し、例えば、一度に多くの画像をダビングすることも考えられる。したがって、前述のように画像一つ一つの調整を細かく行う作業が必要であるため、多数の画像にどのような補正が適用されるのかを確認して個々の画像の画像処理の設定を変更することもある。このような場合には作業が多くなるため、使い勝手が良好でないという問題点がある。
【０００５】
本発明は前述の問題点に鑑み、複数の画像に対して画像処理を行う場合にユーザーにとって操作を容易にすることができるようにすることを目的としている。
【課題を解決するための手段】
【０００６】
本発明の画像処理装置は、複数の画像データとともに、前記複数の画像データのそれぞれに対応した画像処理を行うための画像補正情報が前記複数の画像データのそれぞれに関連させて記録された記録媒体から前記画像処理情報を再生する再生手段と、前記記録媒体に記録された複数の画像データの一覧リストを表示するとともに、前記一覧リストに付随して前記再生手段によって再生された画像処理情報を表示部に表示する表示手段と、ユーザーの操作に応じて前記一覧リストの中から画像データを選択する選択手段と、前記選択手段によって選択された画像データに対して、前記画像処理情報に基づいた画像処理を行う画像処理手段とを有することを特徴とする。
【発明の効果】
【０００７】
本発明によれば、複数の画像データに対して画像処理を行う際、どの画像にどのような画像処理が適用可能なのかを一覧で確認することができる。これにより、ユーザーは、各画像に適用可能な画像処理を適用するかどうかを簡単に設定することができる。
【図面の簡単な説明】
【０００８】
【図１】本発明の実施形態に係るビデオカメラの構成例を示すブロック図である。
【図２】ダビング方式の選択画面の一例を示す図である。
【図３】キレイダビング−マニュアルのマニュアル設定画面の一例を示す図である。
【図４】サムネイル画像の一つを選択した場合の設定画面の一例を示す図である。
【図５】他の画像処理のアイコンを選択した場合の設定画面の一例を示す図である。
【図６】ダビング処理を行うまでの処理手順の一例を示すフローチャートである。
【図７】画像処理の設定処理手順の一例を示すフローチャートである。
【図８】画像処理の適用手順の一例を示すフローチャートである。
【図９】ソート処理の選択画面の一例を示す図である。
【図１０】画像処理順に並べられたサムネイル画像の一覧を示す図である。
【図１１】複数の画像が選択されている状態の画面の一例を示す図である。
【図１２】一括補正を行うか否かを選択させる画面の一例を示す図である。
【図１３】画像処理を設定する手順の一例を示すフローチャートである。
【発明を実施するための形態】
【０００９】
（第１の実施形態）
以下、本発明の第１の実施形態について図面を参照しながら説明する。
図１は、本実施形態に係るビデオカメラ１００の構成例を示すブロック図である。
図１において、カメラ部１０１は、画像を取り込むためのものであり、システム制御部１０２は、全体の動作を制御するためのものである。画像処理部１０３は、カメラ部１０１にて取り込まれた画像データに対して後述する画像処理を施し、ＳＤＲＡＭ１０４上に書き込むためのものである。ＳＤＲＡＭ１０４は、画像処理部１０３において画像処理が施された画像データや、ＨＤＤ  ＩＦ部１０８によって記録媒体であるＨＤＤ１１０から読み出された画像データなどを一時的に記憶するためのものである。
【００１０】
外部インターフェース（ＩＦ）１０５は、外部装置との情報のやり取りを行うためのものである。圧縮伸張部１０６は、ＳＤＲＡＭ１０４から画像データを読み出し、エンコードまたはデコードを行ってＳＤＲＡＭ１０４に再度書き込むためのものである。表示ＩＦ部１０７は、ＳＤＲＡＭ１０４から画像データを読み出して画像を表示部１０９へ出力したり、画像や動作に付随したＧＵＩ（Graphical User Interface）情報を重畳したりするためのものである。
【００１１】
ハードディスクドライブ（ＨＤＤ）１１０には、画像データ、画像データに付随する画像補正情報、及び一覧表示させるための代表画像データとしてサムネイル画像データが記録されている。ここで、画像補正情報とは、画像処理部１０３により、カメラ部１０１によって撮影された画像を解析することによって生成されるものであり、適用可能な画像処理に関する情報である。また、画像補正情報は、その画像データと関連付けされて記録されている。ＨＤＤ  ＩＦ部１０８は、画像データや画像補正情報などをＨＤＤ１１０へ書き込んだり読み出したりするためのものである。また、ＵＩ部１１１は、ユーザーが各種操作を行うためのものである。その他、外部との通信を行う不図示の１３９４接続端子やＵＳＢ端子、その他各種通信手段を具備している。
【００１２】
図２は、ＨＤＤ１１０に記録された画像データをダビング（複製）する際に表示されるダビング方式の選択画面の一例を示す図である。
図２に示すように、選択項目として、「キレイダビング−オート」、「キレイダビング−マニュアル」、及び「通常ダビング」が表示されている。キレイダビング−オートとは、ダビングの対象となる画像データに付加された画像補正情報をすべて適用してダビングする方式である。一方、キレイダビング−マニュアルとは、個々の画像データに付随されている個々の画像補正情報を適用するのかどうかを一つ一つ設定したのち、ユーザーの設定状況を反映した補正を行ったダビングを行う方式である。また、通常ダビングとは、記録された画像データをそのままダビングする方式である。
【００１３】
図３は、「キレイダビング−マニュアル」が選択された場合に表示されるマニュアル設定画面の一例を示す図である。
図３に示すように、設定画面上には、記録された画像データのサムネイル画像が一覧リストとして表示され、さらに各画像の記録日時、及び補正可能な効果を示すアイコンが付加されている。
【００１４】
本実施形態では、画像データに付随されている画像補正情報に基づいて生成されたサムネイル画像データがＨＤＤ１１０に記録されている。例えば、画像補正情報において、適用可能な画像処理が「美肌」である場合には、画像データの中で画像処理「美肌」の効果が最も大きい画面がサムネイル画像データとして記録されている。また、適用可能な画像処理が複数ある場合には、その分のサムネイル画像データがＨＤＤ１１０に記録されている。
【００１５】
図３に示す例では、一画面上に表示される画像は６枚であるが、画面表示の解像度などにより、さらに枚数を増減させることも可能である。一画面上に表示される枚数が限られるため、画面の左右には、ページ送りを示すアイコン３０１が表示され、前後に画面を切り換えることもできる。また、画面の右上には、全体の枚数及び現在選択している画像の番号が表示されている。さらに、画面の下部には、「ダビング開始」のアイコン３０２、「一覧ソート」のアイコン３０３、及び「戻る」のアイコン３０４が表示されている。
【００１６】
「ダビング開始」のアイコン３０２が選択されると、その時点で適用ＯＫとされている画像処理を適用したダビング処理を開始する。また、「一覧ソート」のアイコン３０３が選択されると、画像表示の順序を変更することができる。さらに、「戻る」のアイコン３０４が選択されると、図２で示したダビング方式の選択画面へ戻ることができる。また、図３に示す画面が表示された時点で、各画像処理はすべて「補正する」状態に設定されているものとする。
【００１７】
また、図３に示すように、サムネイル画像の下部には、画像処理のアイコン３０５が表示されており、そのサムネイル画像に対応する画像データに対して適応可能な画像処理の種類を示している。また、図３に示すように、適応可能な画像処理がない、もしくは画像処理情報がないため、画像処理のアイコンが表示されていないサムネイル画像３０６については、他のサムネイル画像よりも表示サイズを小さくし、さらに表示輝度を小さくしている。このように、画像処理が適用可能か否かによって区別しやすくしている。なお、表示輝度を小さくする代わりに表示色を変更してもよく、さらには、画像処理情報が存在しない等の旨を表示するようにしてもよい。
【００１８】
図４は、表示されているサムネイル画像の一つを選択した場合の設定画面の一例を示す図である。
図４に示すように、サムネイル画像と、日時と、画像処理のアイコンとが大枠４０１で囲われており、現在選択されている画像が強調されている。また、図４に示す例では、サムネイル画像は、現在選択されている画像処理「美肌」の効果が最も大きいサムネイル画像が表示されている。
【００１９】
画像処理のアイコンが複数ある場合は、図４に示す設定画面に切り替わった時点で一番左側に表示されたアイコンが選択される。また、画面の下部には、選択されたアイコンの内容、撮影時のガイド情報などが表示され、さらにこの画像処理を適用するのかどうかを選択するための「補正する」のアイコン４０２及び「補正しない」のアイコン４０３が表示される。ここで、ユーザーが内容を確認し、「補正しない」のアイコン４０３が選択されると、図５に示す画面に移行する。
【００２０】
図５は、画像データに付加された２番目の画像処理のアイコンが選択された場合の設定画面の一例を示す図である。
図５において、設定が終了した画像処理「美肌」のアイコンは、画像処理を適用しないと設定されたので、グレーで表示されている。なお、アイコンの付随情報、及び画像処理を適用するか否かを選択するアイコンの表示に関しては、図４に示した例と同様である。また、図５に示す例で表示されているサムネイル画像は、現在選択されている画像処理「手ブレ」の効果が最も大きい画像であり、画像処理の切換に応じて、サムネイル画像も切り換わっている。
【００２１】
図５に示す設定画面で、ユーザーにより２番目の画像処理「手ブレ」の適用もしくは不適用が選択されると、図３に示した画面に戻り、他のサムネイル画像を選択することによって、ユーザーは他の画像の設定を更新することができる。
【００２２】
図６は、図２に示した画面が表示されてからダビング処理を行うまでの処理手順の一例を示すフローチャートである。なお、図６に示す各処理は、システム制御部１０２の制御に基づいて行われる。
図２に示した画面が表示部１０９に表示されると、ステップＳ６０１において処理を開始する。そして、ステップＳ６０２において、ユーザーによりＵＩ部１１１を介してダビング方式が選択されるまで待機する。
【００２３】
ステップＳ６０２においてダビング方式が選択されると、ステップＳ６０３において、選択された方式がマニュアル（キレイダビング−マニュアル）であるかどうかを判別する。この判別の結果、選択された方式がマニュアルでない場合は、ステップＳ６０５に進む。そして、ステップＳ６０５において、画像が選択されてダビング開始の指示を受けるまで待機する。ダビング開始の指示を受けるとステップＳ６０６に進む。一方、ステップＳ６０３の判別の結果、選択された方式がマニュアルである場合は、ステップＳ６０４に進み、ダビングの対象となる画像における画像処理の設定を行う。この処理に移行することによって、図３〜５に示したＧＵＩ画面で設定状態を確認しながらユーザーにより個々の画像の画像処理の設定を行うことが可能になる。
【００２４】
次に、ステップＳ６０６において、ダビング処理を行う。具体的には、ＨＤＤ  ＩＦ部１０８は、選択されたサムネイル画像に対応する画像データをＨＤＤ１１０から読み出し、ＳＤＲＡＭ１０４に書き込む。そして、画像処理部１０３は、設定された画像処理の条件に従って画像の補正を行い、ＳＤＲＡＭ１０４に書き込む。そして、補正を行った画像データをＨＤＤ  ＩＦ部１０８によりＨＤＤ１１０に記録する。すなわち、このダビング処理は、各画像に付随した画像補正情報を反映して画像処理を行うダビング処理である。なお、図２の選択画面において通常ダビングが選択された場合には、画像処理部１０３による補正を行わずに、画像データを複製してＨＤＤ１１０に記録する。そして、ステップＳ６０７に進み、ダビング処理を終了する。
【００２５】
図７は、図６のステップＳ６０４において、ダビングの対象となる画像における画像処理の設定処理手順の一例を示すフローチャートである。なお、図７に示す各処理は、システム制御部１０２の制御に基づいて行われる。
図６のステップＳ６０４に移行すると、ステップＳ７０１において、処理を開始する。そして、ステップＳ７０２において、サムネイル画像として一覧表示させる対象となる画像の判別処理を行う。この処理では、例えば、ユーザーによってＨＤＤ１１０に記録されたフォルダが選択された場合や、ページの切換の指示を受けることにより、表示対象となる画像を判別する。
【００２６】
次に、ステップＳ７０３において、ＨＤＤ  ＩＦ部１０８は、表示対象となるサムネイル画像データをＨＤＤ１１０から読み出し、表示ＩＦ部１０７は、表示部１０９にそのサムネイル画像を一覧表示させる。このとき、複数の画像処理が可能なものについては、一番左側に表示される画像処理のアイコンに対応するサムネイル画像データを読み出す。例えば、図４に示すサムネイル画像を表示するようにする。
【００２７】
次に、ステップＳ７０４において、ＨＤＤ  ＩＦ部１０８は、サムネイル画像が表示された画像データに付随した画像補正情報をＨＤＤ１１０から再生して読み出す。そして、ステップＳ７０５において、表示ＩＦ部１０７は、読み出した画像補正情報を元に、図３に示すようにサムネイル画像の下側に画像処理のアイコンを付随して表示する。
【００２８】
次に、ステップＳ７０６において、ＵＩ部１１１を介してページの切換、もしくはソートの切換が選択されたのかどうかを判別する。ここでは、図３に示すページ送りを示すアイコン３０１、もしくは「一覧ソート」のアイコン３０３が選択されたか否かを判別する。この判別の結果、ページ切換が選択れた場合は、一覧として表示するサムネイル画像を切り換えるため、ステップＳ７０２に戻る。一方、ステップＳ７０６の判別の結果、ソートの切換が選択された場合は、ステップＳ７１１において、画像表示の順序を変更し、ステップＳ７０２に戻る。
【００２９】
一方、ステップＳ７０６の判別の結果、ページの切換もソートの切換も選択されなかった場合は、ステップＳ７０７において、ＵＩ部１１１を介してダビング開始が選択されたか否かを判別する。この判別の結果、ダビング開始が選択された場合は、ダビング処理へ移行するため、ステップＳ７１０において、処理を終了する。一方、ステップＳ７０７の判別の結果、ダビング開始が選択されなかった場合、ステップＳ７０８において、ＵＩ部１１１を介してサムネイル画像の一つが選択されたかどうかを判別する。この判別の結果、サムネイル画像が選択された場合は、ステップＳ７０９において、画像処理を適用するか否かの設定処理を行い、ステップＳ７０６に戻る。このように、画像に付随した個々の画像処理を適用するのかどうかを設定することができる。また、ステップＳ７０８の判別の結果、サムネイル画像が選択されていない場合は、ステップＳ７０６に戻る。
【００３０】
図８は、サムネイル画像が選択された場合のステップＳ７０９における画像処理の適用手順の一例を示すフローチャートである。なお、図８に示す各処理は、システム制御部１０２の制御に基づいて行われる。
サムネイル画像が選択されると、ステップＳ８０１において、処理を開始する。そして、ステップＳ８０２において、ＨＤＤ  ＩＦ部１０８は、選択された画像データに付随した画像補正情報をＨＤＤ１１０から読み出す。そして、ステップＳ８０３において、表示ＩＦ部１０７は、読み出した画像補正情報に基づいて、選択されている画像処理の付随情報を表示する。図４に示す例では、美肌効果及び撮影時のワンポイントアドバイスが表示されている。
【００３１】
次に、ステップＳ８０４において、表示ＩＦ部１０７は、図４に示すように、補正を行うか否かを選択するためのＧＵＩ表示を行う。そして、ステップＳ８０５において、ＵＩ部１１１を介して補正を行うアイコンもしくは補正を行わないアイコンが選択されたか否かを判別する。この判別の結果、アイコンが選択されていない場合は、補正指示のアイコンなどの表示を更新するため、ステップＳ８０４に戻る。
【００３２】
一方、ステップＳ８０５の判別の結果、何れかのアイコンが選択された場合は、ステップＳ８０６において、現在選択されている画像データに付随したすべての画像処理について設定が終了したかどうかを判別する。この判別の結果、すべての画像処理の設定が終了した場合は、ステップＳ８０８において、処理全体を終了する。一方、ステップＳ８０６の判別の結果、すべての画像処理の設定が終了していない場合は、ステップＳ８０７において、図５に示したように、表示ＩＦ部１０７は、選択対象の画像処理を次の画像処理に移動する。そして、ステップＳ８０３に戻る。
【００３３】
図９は、図７のステップＳ７１１で選択されたソート処理の選択画面の一例を示す図である。
図９に示すように、ソートの切換を行う場合は、画像一覧の順番を日時順にするのか、画像処理別にするのかを選択することができる。日時順にする場合には、図３に示すようなサムネイル画像の一覧となるが、画像処理別にする場合は、図１０に示すように、画像処理順に一覧が構成される。なお、同じ画像処理が複数の画像に付随している場合には、画像処理の効果が大きい順に構成される。
【００３４】
以上のように本実施形態によれば、ＨＤＤ１１０に記録された複数の画像データのサムネイル画像を表示するとともに、その画像データに適用可能な画像処理を示すアイコンを画像処理情報として表示するようにした。これにより、ダビングを行う際に、どの画像にどのような画像処理が適用可能なのかを一覧で確認することができる。さらに、個々の画像に適用可能な画像処理を適用するか否かを簡単に設定することができる。
【００３５】
（第２の実施形態）
以下、本発明の第２の実施形態について説明する。本実施形態に係るビデオカメラの構成は、第１の実施形態と同様であるため説明は省略する。異なる点は、ＵＩ部１１１により一覧表示された複数のサムネイル画像から複数の画像を選択することができる点である。また、単一画像に関する画像処理の設定方法に関しても、第１の実施形態と同様であるため説明は省略する。
【００３６】
図１１は、一覧表示されたサムネイル画像から、複数の画像が選択されている状態の画面の一例を示す図である。また、図１２は、複数の画像が選択された場合に一括補正を行うか否かを選択させる画面の一例を示す図である。
図１１に示すように、複数の画像を選択すると、図１２に示すように、選択した複数の画像に対して一括に画像処理を設定する画面へ移行する。これにより、効率良く画像処理を設定することが可能となる。
【００３７】
図１３は、選択した画像が一つなのか複数なのかを判別して、それぞれに対応した画像処理を設定する手順の一例を示すフローチャートである。本実施形態のビデオカメラ１００では、複数の画像の画像処理を一括に設定することから、図７のステップＳ７０９は、図１３に示す処理に置き換わる。なお、図１３に示す各処理は、システム制御部１０２の制御に基づいて行われる。
【００３８】
図１３のステップＳ１３０１において処理を開始すると、ステップＳ１３０２において、ユーザーにより選択された画像が一つであるかどうかを判別する。この判別の結果、選択された画像が一つであった場合は、ステップＳ１３０３において、図８で示した処理手順に従って画像処理の設定を行い、ステップＳ１３０６において処理を終了する。一方、ステップＳ１３０２の判別の結果、選択された画像が複数であった場合は、ステップＳ１３０４において、表示ＩＦ部１０７は、図１２に示すように、補正を行うか否かを選択するためのＧＵＩ表示を行う。そして、ステップＳ１３０５において、ＵＩ部１１１を介して一括適用を行うアイコンもしくは一括キャンセルを行うアイコンが選択されたか否かを判別する。この判別の結果、アイコンが選択された場合は、ステップＳ１３０６において、処理を終了する。一方、ステップＳ１３０５の判別の結果、アイコンが選択されなかった場合は、選択用のアイコンなどの表示を更新するため、ステップＳ１３０４に戻る。
【００３９】
以上のように本実施形態によれば、複数のサムネイル画像を選択することができるため、複数の画像データに対して一括に画像処理を行うことができる。
【００４０】
（本発明に係る他の実施形態）
前述した本発明の実施形態における画像処理装置を構成する各手段、並びに画像処理方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００４１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４２】
なお、本発明は、前述した実施形態の機能を実現するソフトウェアのプログラム（実施形態では図６〜図８、図１３に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００４３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４４】
その場合、プログラムの機能を有していれば、オブジェクトコード、インタプリタにより実行されるプログラム、ＯＳに供給するスクリプトデータ等の形態であってもよい。
【００４５】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４６】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００４７】
また、本発明のプログラムを構成するプログラムコードを複数のファイルに分割し、それぞれのファイルを異なるホームページからダウンロードすることによっても実現可能である。また、その他の方法として、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４９】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【００５０】
１０２  システム制御部、１０３  画像処理部、１０７  表示Ｉ／Ｆ部、１０８  ＨＤＤ  Ｉ／Ｆ、１１０  ＨＤＤ、１１１  ＵＩ部
【図１】
2010258968.tif 000003
【図２】
2010258968.tif 000004
【図３】
2010258968.tif 000005
【図４】
2010258968.tif 000006
【図５】
2010258968.tif 000007
【図６】
2010258968.tif 000008
【図７】
2010258968.tif 000009
【図８】
2010258968.tif 000010
【図９】
2010258968.tif 000011
【図１０】
2010258968.tif 000012
【図１１】
2010258968.tif 000013
【図１２】
2010258968.tif 000014
【図１３】
2010258968.tif 000015